(57)【要約】      （修正有）【課題】一つの葬儀に用いる複数種類の葬儀用具を収納容器にセットとしてまとめ、必要なものを必要とするときに手際よく取り出して使用することができるようにする。【解決手段】腕章２と、忌中、訃報等の葬儀執行を示す表示をなした複数の葬儀執行案内シート８、１１と、式場内における諸施設の位置や順路等を示す複数の式場内案内シート１２、１３、１７とを収納容器２０にセットとしてまとめて収納する。【選択図】図１
0003115852.tif 000002
【実用新案登録請求の範囲】
【請求項１】
通常の体格を有する人の腕における最大の太さに対応することができる所要の長さを有する、腕に巻き付ける柔軟な帯状シートに、その表面に受付、ご案内係等の係名を示す文字を表示する一方、その裏面全体に亘り粘着剤を塗布し、更に該粘着剤の表面全体に前記帯状シートと同形同大の剥離紙を被せ、該剥離紙に、その長さ方向の略中央部と少なくとも一方側の端部近傍に、夫々幅方向に沿った切断線を入れてなる各係装着用の腕章と、表面に忌中、訃報等の葬儀執行を示す表示をなし、裏面の一部又は全体に粘着剤を塗布すると共に該粘着剤の表面全体に剥離紙を被せた複数の葬儀執行案内シートと、式場内における諸施設の位置や順路等を示す受付、控室、御休憩所、御手洗、一般、入口、出口、順路、数字等の文字や矢印、手の図形等を表示した複数の式場内案内シートとをもって構成し、これらを収納容器に収納したことを特徴とする葬儀用具セット。
【請求項２】
帯状シートが、サテンクロス又はアセテートサテンからなる帯状シートである請求項１記載の腕章。
【請求項３】
葬儀執行案内シートと式場内案内シートが、サテンクロス又はアセテートサテンからなる帯状シートである請求項１又は２記載の葬儀用具セット。
【請求項４】
葬儀執行案内シートと式場内案内シートが、樹脂又は紙質素材からなるシートである請求項１又は２記載の葬儀用具セット。
【請求項５】
式場内案内シートに、表示した文字の意味に相当する欧文字を併記してなる請求項１、２、３又は４記載の葬儀用具セット。
【考案の詳細な説明】
【技術分野】
【０００１】
本考案は葬儀用具セットに関し、更に詳細には各係装着用の腕章と、忌中、訃報等の葬儀執行を示す表示をなした複数の葬儀執行案内シートと、式場内における諸施設の位置や順路等を示す複数の式場内案内シートとをもって構成し、これらを収納容器に収納してなる葬儀用具セットに係わる。
【背景技術】
【０００２】
葬儀を行うにあたっては、先ず亡くなった者の家に貼る忌中の状及び町内会や自治会の掲示板に貼る訃報の状が必要であり、そしてまた、通夜、葬式当日には式場内における諸施設の位置や順路等を示す受付、控室、御休憩所、御手洗、一般、入口、出口、順路、数字等の文字や矢印等の図形を表示した式場内案内が必要である。
【０００３】
また、その他、受付係や案内係、駐車場係、記録係等の各係が腕に装着する腕章も必要である。
【０００４】
これらの用具は一つの葬儀を執行する上で必要なものであり、通常は葬祭業者が用意しているが、夫々使用する時や場所が異なることから、別々に保管していることが多い。特に腕章とその他の用具とは別々に保管していることが多く、このため通夜、葬式当日になって腕章が見つからず、式の段取りに影響を及ぼしたり、係になる者の気分を害したりすることもある。
【０００５】
また、従来における腕章は、紐やボタンで両端を繋げて輪状となしたものが一般的である。そして斯かる従来の腕章は、輪の大きさが一定で、これを変えることができないから、これを用いる人の腕の太さがこれに適合せず、これより細い場合には、緩過ぎて腕からずり落ちてしまうことになる。そして、この場合にあってはこれを防ぐために、安全ピンを用いて固定しなければならなかった。
【０００６】
しかし、安全ピンを用いて固定する場合には、片方の手だけで脱着操作をしなければならず、思いの外面倒であり、スムーズにこれを行うことができない。またこのため、他の人の手を借りて脱着することもしばしば経験するところである。また、安全ピンを衣服に刺し通すことから、衣服を傷めるという問題点もある。また、従来の腕章は、上記の如く輪の大きさが一定であることから、女性等で腕が細過ぎる場合には腕章とのバランスが悪くなり、この場合には体裁も悪い。
【０００７】
また、腕章以外の上記忌中の状や訃報の状、式場内における諸施設の位置や順路等を示す式場内案内は、従来にあっては紙を用いるものが一般的であるから、屋外に貼ったとき雨に濡れたり、強い風が吹くと破れ易かった。また、固定するには画鋲や粘着テープを用いるが、画鋲を用いる場合には、通常は２個を一組として用い、そして夫々を順々に差し込まなければならないから手間がかかって作業能率が悪く、また背面が木等の鋲が刺さる材質のものでなければならないから、場所を選ばなければならず、且つまた紙を外した後に鋲の刺し傷が残るという問題点があり、また粘着テープを用いる場合には、カッターで一々所定の長さに切断しなければならないから面倒で、作業能率が悪く、而も表面側にテープが見えるから見苦しいという問題点がある。
【考案の開示】
【考案が解決しようとする課題】
【０００８】
本考案は上記の点に鑑みなされたものであって、腕章と、忌中、訃報等の葬儀執行を示す表示をなした複数の葬儀執行案内シートと、式場内における諸施設の位置や順路等を示す複数の式場内案内シートとを収納容器にセットとしてまとめ、必要なものを必要とするときに手際よく取り出して使用することができるようになすと共に、腕章については、両端を繋げて輪状にするとき、重なり具合を変えることによって輪の大きさを適宜に調整可能として、用いる人の腕の太さにフィットさせることができるようになすと共に、粘着剤による粘着作用を利用することにより、安全ピンを用いることなく固定することができるようになし、加えて、用いる人の腕と腕章とのバランスをとって、従来の腕章における体裁の悪さをカバーすることができるようになした腕章を提供し、更に葬儀執行案内シートと式場内案内シートの固定には、これらの裏面に塗布した粘着剤を用いて行うことにより、上記画鋲と粘着テープを用いる場合の問題点を悉く解消することができるようになした葬儀用具セットを提供せんとするものである。
【課題を解決するための手段】
【０００９】
而して、本考案の要旨とするところは、通常の体格を有する人の腕における最大の太さに対応することができる所要の長さを有する、腕に巻き付ける柔軟な帯状シートに、その表面に受付、ご案内係等の係名を示す文字を表示する一方、その裏面全体に亘り粘着剤を塗布し、更に該粘着剤の表面全体に前記帯状シートと同形同大の剥離紙を被せ、該剥離紙に、その長さ方向の略中央部と少なくとも一方側の端部近傍に、夫々幅方向に沿った切断線を入れてなる各係装着用の腕章と、表面に忌中、訃報等の葬儀執行を示す表示をなし、裏面の一部又は全体に粘着剤を塗布すると共に該粘着剤の表面全体に剥離紙を被せた複数の葬儀執行案内シートと、式場内における諸施設の位置や順路等を示す受付、控室、御休憩所、御手洗、一般、入口、出口、順路、数字等の文字や矢印、手の図形等を表示した複数の式場内案内シートとをもって構成し、これらを収納容器に収納したことを特徴とする葬儀用具セットにある。
【００１０】
また、上記構成において、帯状シートとしては、サテンクロス又はアセテートサテンからなるものが好ましく、また葬儀執行案内シートと式場内案内シートとしては、サテンクロス若しくはアセテートサテン又は樹脂若しくは紙質素材からなるものが好ましい。
【００１１】
また、式場内案内シートには、表示した文字の意味に相当する欧文字を併記してもよく、この場合は外国人の参列者に対して式場内の配置や葬儀内容を理解させる上で役立つ。
【考案の効果】
【００１２】
本考案は、上記の如き構成であり、腕章と、忌中、訃報等の葬儀執行を示す表示をなした複数の葬儀執行案内シートと、式場内における諸施設の位置や順路等を示す複数の式場内案内シートとを収納容器にセットとしてまとめたものであるから、必要なものを必要とするときに手際よく取り出して使用することができるものである。また、各係が装着する腕章は、両端を繋げて輪状にするとき、重なり具合を変えることによって輪の大きさを適宜に調整可能として、用いる人の腕の太さにフィットさせることができるようになすと共に、粘着剤による粘着作用を利用することにより、安全ピンを用いることなく固定することができるようになし、加えて、用いる人の腕と腕章とのバランスをとって、従来の腕章における体裁の悪さをカバーすることができるようになしたものである。更に葬儀執行案内シートと式場内案内シートの固定は、これらの裏面に塗布した粘着剤を用いて行うものであるから、従来における画鋲と粘着テープを用いる場合の問題点を悉く解消することができるものである。
【００１３】
また、葬儀執行案内シートと式場内案内シートを、樹脂からなるシートとした場合には、従来における紙の如く、雨に濡れたり、強い風が吹いても破れることがなく、安心である。
【００１４】
また、式場内案内シートに、表示した文字の意味に相当する欧文字を併記した場合には、外国人の参列者に対して式場内の配置や葬儀内容を理解させる上で役立つ。
【考案を実施するための最良の形態】
【００１５】
本考案を実施するための最良の形態は、腕章と、忌中、訃報等の葬儀執行を示す表示をなした複数の葬儀執行案内シートと、式場内における諸施設の位置や順路等を示す複数の式場内案内シートとを収納容器にセットとしてまとめたことにある。
【実施例】
【００１６】
以下、本考案の実施例について説明する。
図１は本考案の実施例に係る葬儀用具セットの収納容器の蓋を開いた状態の斜視図、図２は腕章の展開状態の表面図、図３は腕章の一部剥離紙を除去して示した展開状態の裏面図、図４は腕章の使用状態の斜視図、図５は「忌中」を表示する葬儀執行案内シートの表面図、図６は一部剥離紙を除去して示した同裏面図、図７は「訃報」を表示する葬儀執行案内シートの表面図、図８は「受付」の文字及び欧文字を表示した式場内案内シートの表面図、図９は「控室」の文字及び欧文字を表示した式場内案内シートの表面図、図１０は「御休憩所」の文字及び欧文字を表示した式場内案内シートの表面図、図１１は「一般」の文字を表示した式場内案内シートの表面図、図１２は「入口」の文字を表示した式場内案内シートの表面図、図１３は「順路」の文字及び矢印記号を表示した式場内案内シートの表面図、図１４は順路を示す手の図形を表示した式場内案内シートの表面図、図１５は「御手洗」の文字及び矢印記号を表示した式場内案内シートの表面図である。
【００１７】
図中、１は葬儀用具セットであり、後記腕章と、忌中、訃報等の葬儀執行を示す表示をなした複数の葬儀執行案内シートと、式場内における諸施設の位置や順路等を示す複数の式場内案内シートとをもって構成し、これらを収納容器に収納してなるものである。
【００１８】
２は各係装着用の腕章である。また、３は該腕章２を構成する、腕に巻き付ける柔軟な帯状シートであり、表面には受付、御案内係等の係名を示す文字４を表示ししている。尚、該帯状シート３は、本実施例にあっては、アセテートサテンをもって製作されているが、サテンクロスでもよい。尚、これらの材料が好ましい理由は、適度の剛性があることに加えて、耐水性があることから雨に濡れても支障がないことと、ビニル樹脂と異なり、焼却処分をするときに公害等の問題が発生しないことによるものである。また、該帯状シート３は、通常の体格を有する人の腕における最大の太さに対応することができる所要の長さを有するものである。
【００１９】
また、前記帯状シート３の裏面にはその全体に亘り粘着剤５を塗布しており、そして該粘着剤５の表面全体に前記帯状シート３と同形同大の剥離紙６を被せている。そしてまた、該剥離紙６には、その長さ方向の略中央部と両方の端部近傍に、夫々幅方向に沿った切断線７、７、７を入れている。尚、本実施例においては切断線７を両方の端部近傍に入れているが、いずれか一方側にだけ入れるようにしてもよい。
【００２０】
上記各係装着用の腕章２は、使用するときにおいて両端を繋げて輪状にするものであるが、それは先ず剥離紙６の一端側の一部を剥がして衣服に仮止めし、その後残りの剥離紙の一部又は全部を剥がして剥き出しになった粘着剤５をもって衣服に貼着し、最後に端を重ねて貼着することによって行うものである。そしてこのとき、両端の重なり具合を変えることによって輪の大きさを適宜に調整し、これを用いる人の腕の太さにフィットさせるようにするものである。
【００２１】
８は亡くなった者の家に貼る葬儀執行案内シートであり、表面には忌中を示す文字を印刷によって表示し、裏面にはその一部又は全体に粘着剤９を塗布すると共に該粘着剤９の表面全体に剥離紙１０を被せている。尚、本実施例にあっては粘着剤９を裏面の上端側に帯状に塗布しているが、場合によっては裏面全体に塗布するようにしてもよい。そして、これを使用するときには剥離紙１０を剥がし、露出した粘着剤９によって固定するものである。また、該葬儀執行案内シート８は、本実施例にあっては樹脂からなるものを用いているが、これを紙質素材又はサテンクロス若しくはアセテートサテンを用いてもよい。
【００２２】
１１は町内会や自治会の掲示板に貼る葬儀執行案内シートであり、表面には訃報の文字と内容を表示している。尚、その他の構成は前記葬儀執行案内シート８と同様であるから、詳細な説明は省略する。
【００２３】
１２乃至１９は通夜又は葬式当日に式場内に貼る式場内案内シートであり、裏面に粘着剤を塗布し、使用するまで剥離紙を被せておく点及び樹脂からなるものを用いる点においては、前記葬儀執行案内シート８と同様であるから、詳細な説明は省略する。
【００２４】
該式場内案内シート１２は、表面に受付の文字と該文字の意味に相当する欧文字とを併記したもの、１３は控室の文字及び該文字の意味に相当する欧文字とを併記したもの、１４は御休憩所の文字及び該文字の意味に相当する欧文字とを併記したもの、１５は受付に貼る、一般の文字を表示したもの、１６は式場入口に貼る入口の文字を表示したもの、１７は順路の文字と矢印記号を表示したもの、１８は順路を示す矢印記号に代えて手の図形を表示したもの、１９は御手洗の文字と矢印記号を表示したものである。
【００２５】
また、上記葬儀執行案内シート及び式場内案内シートとして示したものは一つの例に過ぎないものであり、これら以外のものを使用することもできると共に、葬儀の規模等に応じて各々の枚数も含め、これらを取捨選択して用いるものである。
【００２６】
２０は上記腕章２と、忌中、訃報等の葬儀執行を示す表示をなした複数の葬儀執行案内シート８、１１と、式場内における諸施設の位置や順路等を示す複数の式場内案内シート１２、１３、１４、１５、１６、１７、１８、１９とを収納する収納容器であり、本実施例では厚紙からなる蓋付きの底の浅い箱を用いているが、これはプラスチック資質若しくは木箱又は袋状容器等としてもよい。尚、２０ａは該収納容器２０の蓋である。
【図面の簡単な説明】
【００２７】
【図１】本考案の実施例に係る葬儀用具セットの収納容器の蓋を開いた状態の斜視図である。
【図２】腕章の展開状態の表面図である。
【図３】腕章の一部剥離紙を除去して示した展開状態の裏面図である。
【図４】腕章の使用状態の斜視図である。
【図５】忌中を表示する葬儀執行案内シートの表面図である。
【図６】一部剥離紙を除去して示した図５に示す葬儀執行案内シートの裏面図である。
【図７】訃報を表示する葬儀執行案内シートの表面図である。
【図８】受付の文字及び欧文字を表示した式場内案内シートの表面図である。
【図９】控室の文字及び欧文字を表示した式場内案内シートの表面図である。
【図１０】御休憩所の文字及び欧文字を表示した式場内案内シートの表面図である。
【図１１】一般の文字を表示した式場内案内シートの表面図である。
【図１２】入口の文字を表示した式場内案内シートの表面図である。
【図１３】順路の文字及び矢印記号を表示した式場内案内シートの表面図である。
【図１４】順路を示す手の図形を表示した式場内案内シートの表面図である。
【図１５】御手洗の文字及び矢印記号を表示した式場内案内シートの表面図である。
【符号の説明】
【００２８】
１  葬儀用具セット
２  腕章
３  帯状シート
５  粘着剤
６  剥離紙
７  切断線
８  葬儀執行案内シート
９  粘着剤
１０  剥離紙
１１  葬儀執行案内シート
１２、１３、１４、１５、１６、１７、１８、１９  式場内案内シート
２０  収納容器
【図１】
0003115852.tif 000003
【図２】
0003115852.tif 000004
【図３】
0003115852.tif 000005
【図４】
0003115852.tif 000006
【図５】
0003115852.tif 000007
【図６】
0003115852.tif 000008
【図７】
0003115852.tif 000009
【図８】
0003115852.tif 000010
【図９】
0003115852.tif 000011
【図１０】
0003115852.tif 000012
【図１１】
0003115852.tif 000013
【図１２】
0003115852.tif 000014
【図１３】
0003115852.tif 000015
【図１４】
0003115852.tif 000016
【図１５】
0003115852.tif 000017